(57)【要約】【課題】  本発明は、地理的位置や天候および時間に影響される従来の自然エネルギー発生装置の課題を克服し、安全で安価なエネルギーの安定供給を目的とする。【解決手段】  物体の水中等における体積と浮力の関係＝アルキメデスの原理を利用するもので、容器１及び蛇腹膜２並びに錘３を密閉し一体化させる。  その一体化した装置は天地関係により蛇腹膜２の体積は変化し、重量は同じであるものの、水中等においては、アルキメデスの原理にて得られる浮力に差が生じる。  水中等におけるその浮力の差を中空円板４へ伝えることにより、モーメントのバランスが崩れ、中空円板４は回り続け、安定した運動エネルギーを永久に供給することが可能となる。  この運動エネルギーを電力へ変換することにより、従来の自然エネルギー発生装置の課題を克服し、安全で安価なエネルギーを、永久に安定供給し続けることが可能となる。【選択図】図４
2015161300.tif 000002
【特許請求の範囲】
【請求項１】
容器１等を中空円板４へ取り付けた装置。
容器１を、回転体である中空円板４へ直接取り付けることにより、浅い水中等においても蛇腹膜２による異なる浮力を得ることができ、稼動が可能となる。
浅い水中等において稼動可能となることにより、本装置を簡単に横へ連結することができ、本装置の設置数を増加することで、より高出力のエネルギーを発生させることが可能となる。
【請求項２】
容器１と中空円板４を中空取り付け材６において繋げた装置。
容器１等を中空円板４へ取り付ける際、取り付け材の中を中空にすることにより、チューブやパイプ等他の材料を使用せずに、各容器１及び各蛇腹膜２並びに中空円板４内の空気等の圧力＝気圧を一定に保つことができる。
【発明の詳細な説明】
【技術分野】
【０００１】  本発明は、安全で安価な安定したエネルギーの供給を目的とした、自然エネルギー発生装置の開発に関するものである。
【背景技術】
【０００２】  従来、自然エネルギーを利用したエネルギー発生装置には、潮の干満を利用した潮力発電、火山大国である日本の地熱を利用した地熱発電、風の持つエネルギーを利用した風力発電、太陽のエネルギーを利用した太陽光発電等が挙げられる。【０００３】  これらのエネルギー発生装置は、石油や天然ガス等における非自給資源問題及び枯渇資源問題並びに福島第一原子力発電所の事故に代表される放射能汚染問題等の危惧はなく、資源が少なく大部分を外国からの輸入に頼る日本にとって、唯一の原爆被爆国である日本にとって、他国からの影響を受けにくい安全で安価な理想的なものとなっている。
また、今後、全世界で危惧される水戦争、食料戦争においても、食料自給率の低い日本にとっては、益益エネルギーの需要が高まり、安定したエネルギーの供給が必要となってくる。【０００４】  しかしながら、従来の自然エネルギー発生装置では、地理的位置、天候及び時間に影響され、火力発電や原子力発電のような安定したエネルギーの供給を維持することは難しく、工業立国及び食料自給率を高めようとする日本にとって、状況の如何に拘らず、自然エネルギーによる安定したエネルギー発生装置＝供給システムの開発が喫緊の課題となっている。
【先行技術文献】
【特許文献】
【０００５】
【特許文献１】  特願平１１−５３６７７３
【特許文献２】  特願２０１１−２７３８６１
【発明の概要】
【発明が解決しようとする課題】
【０００６】  本発明は、このような従来の自然エネルギー発生装置が有している安定供給課題を解決しようとするものである。
【課題を解決するための手段】
【０００７】  この課題を解決するためには、地球上のあらゆる場所で、また、あらゆる時間において天候に関係なくエネルギーを供給させることを主にした運動エネルギーを作り出すことが重要となる。
本発明は、従来の自然エネルギー発生装置が有している課題を解決するための手段として、「水中等における物体はその物体の重量とは無関係に体積と比例した浮力エネルギーの発生を受ける」＝アルキメデスの原理を応用するものである。【０００８】  図１における容器１及び蛇腹膜２は、上述の関係を示したものである。
容器１及び蛇腹膜２の中は空気等で満たしてあり、その空気等で満たされた容器１及び蛇腹膜２の中に、最大体積×水等の比重より重い錘３を蛇腹膜２の底部に接着し取り付ける。
容器１が上の場合、蛇腹膜２は錘３の重力の影響により最大体積となる。容器１が下の場合は同じく錘３の重力の影響により蛇腹膜２の体積は最小となる。
ただし、両状態において重量の変化はない。【０００９】  図４は、中空円板４に、これらの容器１を同じ方向で等間隔に取り付けた図である。【００１０】  中空円板４と容器１は、中空取り付け材６で繋がっており、その中空取り付け材６を介し、中空円板４内と容器１内の空気等は自由に流出入できる。
この中空取り付け材６は錘３による蛇腹膜２の体積変化に対応させるためのものであり、この中空取り付け材６により、各容器１＋蛇腹膜２及び中空円板４内における空気等の圧力は一定となり、錘３による蛇腹膜２の体積変化における気圧等の支障を取り除くこととなる。
これらのことにより、各容器１＋蛇腹膜２の重量は同じであるものの、各容器１＋蛇腹膜２の体積の異なる状態を作りだすことができる。
各容器１＋蛇腹膜２の関係として、水中等の中では次の式が成り立つ。
容器１体積＋蛇腹膜２最大体積時の浮力＞容器１体積＋蛇腹膜２最小体積時の浮力。
容器１重量＋蛇腹膜２最大体積時の重量＝容器１重力＋蛇腹膜２最小体積時の重量。【００１１】  このように、水中等における浮力の違いを利用し、中空円板４を回転させる。その回転により順次容器１及び蛇腹膜２の天地関係が変化し、各蛇腹膜２において異なる浮力エネルギーを得、再び中空円板４を回転させる。
これらのことが繰り返し続き、中空円板４は永久に回り続ける。
中空円板４が永久に回り続けることにより、運動エネルギーを永久に発生させることができる。
【発明の効果】
【００１２】  本発明は、水中等における物体の体積に比例する浮力の原理＝アルキメデスの原理を利用したものであり、浮力の差のみで中空円板４を回転させ運動エネルギーを得るものである。
貯水池等を建造できれば、地理的位置や天候、時間等に影響を受けることなく、安全で安価なエネルギーを、昼夜問わず安定供給し続けることができる。
本発明であるエネルギー発生装置１基では、微力なエネルギーの供給しかできないが、地下部分を深く掘り下げる必要はなく、ある程度の深さ及び大きさのある貯水池＝プールであれば、その貯水池＝プールの大きさに合わせた数の本装置を設置できるのが特長であり、高出力のエネルギーを発生させることも可能となる。
また、本発明は高度な技術は必要なく、装置のメンテナンス及び自然蒸発等による水等の補給のみを行えば永久に稼動でき、通常のエネルギー源及び汚水、海水を真水にするためのエネルギー源、作物に対するエネルギー源として、我が国や貧しい国にも役立つものと思われる。
なお、本発明は、アルキメデスの原理にて稼動するものであり、巷間伝わる永久機関ではない。エネルギー保存の法則にも抵触しない。
【図面の簡単な説明】
【００１３】
【図１】  水中等において異なる浮力を得るための装置の断面図である。
【図２】  図１による装置の正面図である。
【図３】  中空円板４内と容器１内の空気＝気体を自由に流出入させるため、容器１と中空円板４とを中空取り付け材６で繋いだ図である。なお、図３−Ａの矢印は、容器１が上、蛇腹膜２が最大体積になった時の空気等の流れを示したものであり、図３−Ｂの矢印は、容器１が下、蛇腹膜２が最小体積になった時の空気等の流れを示したものである。
【図４】  水中等における本装置全体の正面図である。
【図５】  本装置全体の側面図である。
【発明を実施するための形態】
【００１４】  以下、本発明の実施の形態について説明する。
図１、２は、主に水中等において、異なる浮力を得るための装置であり、錘３とそれより一回り大きな容器１及び蛇腹膜２を一体化したものである。
図１、２の装置の天地の状態により、錘３は重力との関係により容器１の中をピストン運動する。
そのことにより、蛇腹膜２はその体積を最大から最小へ、最小から最大へと変化させ、体積の異なる状態を作りだす。
これらのことにより、重量は同じであっても浮力の異なる状態を生じさせることができる。
なお、蛇腹膜２は錘３の影響による体積の変化だけではなく、容器１内及び蛇腹膜２内への水等の浸入がないように密閉されたものでなければならない。
【００１５】  錘３によるピストン運動の影響により、蛇腹膜２の体積は変化をする。その際、容器１及び蛇腹膜２内に存在する空気等には圧力が生じ、その圧力＝気圧により蛇腹膜２の体積変化に支障を与える。
図３は、その支障を解消するための中空取り付け材６の図である。
この中空取り付け材６があることにより、蛇腹膜２の体積が最小から最大へ変化する際、中空円板４内の空気等は容器１＋蛇腹膜２内へ、蛇腹膜２の体積が最大から最小へ変化する際、容器１＋蛇腹膜２内の空気等は中空円板４内へ移動する。
このことにより、各容器１及び各蛇腹膜２内の空気等の圧力＝気圧は一定となる。
【００１６】  図４は、中空円板４へ、容器１＋蛇腹膜２を同じ方向に等間隔で中空取り付け材６を介し取り付けた図であり、本装置を稼動させるための正面図である。
【００１７】  図５は、図４を側面から見た側面図である。
【符号の説明】
【００１８】１        容器
２        蛇腹膜
３        錘
４        中空円板
５        蛇腹膜２を蛇腹状にさせるためのリング
６        容器１と中空円板４を繋ぐ中空取り付け材
７        本装置全体を支える支柱
８        中空円板４を回転させるための心棒
【図１】
2015161300.tif 000003
【図２】
2015161300.tif 000004
【図３】
2015161300.tif 000005
【図４】
2015161300.tif 000006
【図５】
2015161300.tif 000007